(57)【要約】【課題】  帳票の発行者および記入者本人は確実に誰宛の帳票であるかを識別することが可能で，かつ第三者には誰が記入したものであるかを識別不能にすることが可能な帳票，帳票冊子，および帳票生成装置を提供する。【解決手段】  調査票１０は，個人の属性情報が印字される属性領域１１と，属性情報を機械により読み取り可能な形式に変換した透かし情報が記録される回答領域１２とを含み，属性領域が削除された場合であっても，回答領域の透かし情報から属性情報が取得できることを特徴とする。調査票の発行者および記入者本人は確実に誰宛の調査票であるかを識別することが可能で，かつ第三者には誰が記入したものであるかを識別不能にすることが可能である。【選択図】  図１
2006338085.tif 000002
【特許請求の範囲】
【請求項１】
第１の情報が印字される第１の領域と，
前記第１の情報を機械により読み取り可能な形式に変換した第２の情報が記録される第２の領域と，
含み，
前記第１の領域が削除された場合であっても，前記第２の情報から前記第１の情報が取得できることを特徴とする，帳票。
【請求項２】
前記第１の情報は，個人を特定するための個人情報であることを特徴とする，請求項１に記載の帳票。
【請求項３】
前記第２の領域には，前記個人が所定の回答を記入するための回答欄が記載されていることを特徴とする，請求項２に記載の帳票。
【請求項４】
前記第２の情報には，前記回答欄に記入された回答を自動集計するための集計ルール情報が含まれることを特徴とする，請求項３に記載の帳票。
【請求項５】
前記第２の情報には，帳票を特定するためのＩＤ情報が含まれることを特徴とする，請求項１〜４のいずれかに記載の帳票。
【請求項６】
前記第２の情報は，電子透かしにより前記第２の領域に記録されていることを特徴とする，請求項１〜５のいずれかに記載の帳票。
【請求項７】
前記第２の情報は，バーコードまたは図形による情報記録方法により前記第２の領域に記録されていることを特徴とする，請求項１〜５のいずれかに記載の帳票。
【請求項８】
前記第２の情報は暗号化されていることを特徴とする，請求項１〜７のいずれかに記載の帳票。
【請求項９】
請求項１〜８のいずれかに記載の帳票を表紙とし，
前記表紙の下に，少なくとも前記表紙と同じ前記第２の情報を記録した複数の帳票を重ね合わせたことを特徴とする，帳票冊子。
【請求項１０】
帳票原本および第１の情報に基づいて帳票原稿を生成する帳票原稿生成部と，
前記第１の情報を機械により読み取り可能な形式に変換して第２の情報とする情報変換部と，
前記帳票原稿の画像を第１の領域とし，前記第２の情報の画像を第２の領域として合成した帳票画像を生成する帳票画像生成部と，
を備えたことを特徴とする，帳票生成装置。
【請求項１１】
前記第１の情報は，個人を特定するための個人情報であることを特徴とする，請求項１０に記載の帳票生成装置。
【請求項１２】
前記帳票原本には，前記個人が所定の回答を記入するための回答欄が記載されていることを特徴とする，請求項１１に記載の帳票生成装置。
【請求項１３】
前記第２の情報には，前記回答欄に記入された回答を自動集計するための集計ルール情報が含まれることを特徴とする，請求項１２に記載の帳票生成装置。
【請求項１４】
前記第２の情報には，帳票を特定するためのＩＤ情報が含まれることを特徴とする，請求項１０〜１３のいずれかに記載の帳票生成装置。
【請求項１５】
前記情報変換部は，前記第２の情報を電子透かしに変換することを特徴とする，請求項１０〜１４のいずれかに記載の帳票生成装置。
【請求項１６】
前記情報変換部は，前記第２の情報をバーコードまたは図形による情報記録方法により変換することを特徴とする，請求項１０〜１４のいずれかに記載の帳票生成装置。
【請求項１７】
前記情報変換部は，前記第２の情報を暗号化することを特徴とする，請求項１０〜１６のいずれかに記載の帳票生成装置。
【発明の詳細な説明】
【技術分野】
【０００１】
本発明は帳票，帳票冊子，および帳票生成装置にかかり，特に，印刷された帳票への入力を自動的に検出し，入力に応じてあらかじめ指示された処理を自動的に行うシステムにおいて，健康状態などの個人的な情報を収集する場合に，帳票発行者および記入者本人は確実に誰宛の帳票であるかを識別することが可能で，かつ第三者には誰が記入したものであるかを識別不能にすることの可能な帳票，帳票冊子，および帳票生成装置に関する。
【背景技術】
【０００２】
従来，アンケート調査票や答案用紙等の書面（以下，「帳票」という。）に記入された内容をデータ化するためには，記入内容をキーボード入力するか，または，ＯＭＲ装置（例えば，非特許文献１参照。）やＯＣＲ装置（例えば，非特許文献２参照。）のような装置やシステムを利用する必要があった。
【０００３】
ところで，例えば，個人の健康状態チェックなどの目的で調査を実施する際に，調査実施者が各個人の回答に応じてアドバイスを与えたり，過去の履歴から健康状態の推移を把握したりする場合には，記名式の調査を行う必要がある。しかし，郵送により帳票（調査票）を回収する場合や，記入内容のデータベースへの入力を外部業者に委託する場合には，個人の健康状態等のプライバシー情報が調査実施者とは異なる第三者に知られる危険性がある。これを避けるために，帳票への記入事項のデータベースへの入力を自動化する技術の開発が進められている（例えば，本件出願人により出願された特願２００３−７２１９３参照。）。
【０００４】
【非特許文献１】ＯＭＲ装置説明，インターネット＜http://www.edsoft.co.jp/2/3/7/index.html＞
【非特許文献２】ＯＣＲ装置説明，インターネット＜http://www.mediadrive.co.jp/products/solution/saiten/index.html＞
【発明の開示】
【発明が解決しようとする課題】
【０００５】
しかしながら，上述した帳票への記入事項のデータベースへの入力を自動化する技術では，回収した帳票には記入者の個人情報等が目に見える形で記入されているため，帳票そのものの管理を厳重にしなければならないという問題点があった。さらに，郵送中の事故による情報の漏えいを防ぐことはできないという問題点もあった。
【０００６】
本発明は，従来技術が有する上記問題点に鑑みてなされたものであり，本発明の目的は，帳票発行者および記入者本人は確実に誰宛の帳票であるかを識別することが可能で，かつ第三者には誰が記入したものであるかを識別不能にすることの可能な，新規かつ改良された帳票，帳票冊子，および帳票生成装置を提供することである。
【課題を解決するための手段】
【０００７】
本発明の第１の観点によれば，上記課題を解決することの可能な新規かつ改良された帳票が提供される。本発明の帳票は，第１の情報が印字される第１の領域と，第１の情報を機械により読み取り可能な形式に変換した第２の情報が記録される第２の領域と，含み，第１の領域が削除された場合であっても，第２の情報から第１の情報が取得できることを特徴とする（請求項１）。ここで，第１の情報には，個人を特定するための個人情報を含むことが可能である（請求項２）。そして，第２の領域には，例えば，個人が所定の回答を記入するための回答欄が記載されているものであってもよい（請求項３）。本発明は，このような回答欄に回答を行う記入用紙などに適用が可能である。
【０００８】
かかる帳票によれば，帳票を受け取った個人は，帳票に印字された第１の情報から本人宛のものであることを識別できる。そして，帳票から第１の領域を削除すれば，第三者には誰のものであるかを識別することはできなくなる。一方，帳票発行者は，第２の情報から第１の情報を機械により読み取り可能である。このようにして，帳票発行者および記入者本人は確実に誰宛の帳票であるかを識別することが可能で，かつ第三者には誰が記入したものであるかを識別不能にすることが可能である。なお，第１の領域を削除するとは，少なくとも第１の情報を読み取り不可能な状態にすることをいい，例えば，第１の領域のうち第１の情報が記載された部分のみを削除することや，第１の情報を塗りつぶす等することも含む。
【０００９】
本発明の帳票において様々な応用が可能であるが，例えば，第２の情報には，回答欄に記入された回答を自動集計するための集計ルール情報が含まれていてもよい（請求項４）。回答の集計のための人員削減や，マークシート用紙等の特殊な用紙の準備が不要になるといった効果がある。
【００１０】
また，第２の情報には，帳票を特定するためのＩＤ情報が含まれていてもよい（請求項５）。ＩＤ情報に基づいて帳票を処理できるため，回答の集計にキーパンチャーなどが介在しても，回答者の属性情報を知られることがない。また，キーパンチャーによる回答集計をコンピュータで行う際，集計用の画面にはＩＤ情報のみを表示し，個人情報は表示しないまたは隠蔽して表示することも可能である。このようなＩＤ情報は，単に帳票との関連づけがなされていればよいことから，乱数などで表されることが好ましい。
【００１１】
また，第２の情報は，電子透かしにより第２の領域に記録することが可能である（請求項６）。第２の情報を埋め込むためのスペースを必要としない，第２の情報が埋め込まれていること自体を第三者に知られないなどの効果がある。または，第２の情報は，バーコードまたは図形による情報記録方法により第２の領域に記録することも可能である（請求項７）。
【００１２】
また，第２の情報は暗号化することが可能である（請求項８）。第１，第２の情報として個人情報などが含まれる場合に，その一部または全部を暗号化することにより，より強固に情報を保護することができる。また，第２の情報に集計ルール情報が含まれている場合に，その集計ルールの不正な解析等を防止することが可能である。
【００１３】
本発明の第２の観点によれば，上記課題を解決することの可能な新規かつ改良された帳票冊子が提供される。本発明の帳票冊子は，上記第１の観点にかかる帳票を表紙とし，表紙の下に，少なくとも表紙と同じ第２の情報を記録した複数の帳票を重ね合わせたことを特徴とする（請求項９）。
【００１４】
かかる帳票冊子によれば，病院などの大きな施設で，複数の人間の日々の健康状態等を記録する場合に，記録する人（看護士など）は誰の記録であるかを確認しながら記録することができ，かつ集計時は誰の記録であるかを秘匿しているため，集計業務を第三者に委託することができ，業務の効率化を図ることができる。
【００１５】
本発明の第３の観点によれば，上記課題を解決することの可能な新規かつ改良された帳票生成装置が提供される。本発明の帳票生成装置は，帳票原本および第１の情報に基づいて帳票原稿を生成する帳票原稿生成部（１０４）と，第１の情報を機械により読み取り可能な形式に変換して第２の情報とする情報変換部（１０５）と，帳票原稿の画像を第１の領域とし，第２の情報の画像を第２の領域として合成した帳票画像を生成する帳票画像生成部（１０６）と，を備えたことを特徴とする（請求項１０）。
【００１６】
かかる帳票生成装置によれば，上記第１の観点にかかる帳票および第２の観点にかかる帳票冊子を容易に作成することが可能である。従って，帳票発行者および記入者本人は確実に誰宛の帳票であるかを識別することが可能で，かつ第三者には誰が記入したものであるかを識別不能にすることが可能な帳票および帳票冊子を容易に作成することが可能である。
【００１７】
本発明の他の帳票を作成するため，本発明の帳票生成装置において以下のような応用が可能である。すなわち，第１の情報は，例えば，個人を特定するための個人情報である（請求項１１）。また，帳票原本には，個人が所定の回答を記入するための回答欄が記載されていてもよい（請求項１２）。また，第２の情報には，回答欄に記入された回答を自動集計するための集計ルール情報が含まれていてもよい（請求項１３）。また，第２の情報には，帳票を特定するためのＩＤ情報が含まれていてもよい（請求項１４）。
【００１８】
また，情報変換部（１０５）は，第２の情報を電子透かしに変換することが可能であり（請求項１５），第２の情報をバーコードまたは図形による情報記録方法により変換することも可能である（請求項１６）。また，情報変換部（１０５）は，第２の情報を暗号化することも可能である（請求項１７）。
【００１９】
また，本発明の他の観点によれば，コンピュータを，上記第３の観点にかかる帳票生成装置として機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【００２０】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００２１】
以上のように，本発明によれば，帳票発行者および記入者本人は確実に誰宛の帳票であるかを識別することが可能で，かつ第三者には誰が記入したものであるかを識別不能にすることが可能である。
【発明を実施するための最良の形態】
【００２２】
以下に添付図面を参照しながら，本発明にかかる帳票，帳票冊子，および帳票生成装置の好適な実施形態について詳細に説明する。なお，以下の実施形態では，本発明の帳票の一例として，アンケート用紙等に代表される調査票を例に挙げて説明するが，本発明がこれに限定されるものではない。また，本明細書および図面において，実質的に同一の機能構成を有する構成要素については，同一の符号を付することにより重複説明を省略する。
【００２３】
まず，以下の実施形態を説明するにあたり，その前提となる技術について説明する。
【００２４】
（１）透かし情報の埋め込み・検出について（以下，先行発明１という。）
電子透かし技術を用いた透かし情報の埋め込み・検出については，例えば，本件出願人が権利者である特許第３６２８３１２に開示された技術がある。同文献に開示された透かし情報埋め込み装置は，画像にドットパターンを重ね合わせて透かし入り画像を作成する透かし入り画像合成部を備え，ドットパターンは，所定の方向に所定の間隔でドットが配置され，ドットの輝度値を振幅とし，所定の方向と垂直な方向を伝播方向とするものであり，ドットの方向及び／又は間隔を変化させたドットパターンを複数用意し，ドットパターンを組み合わせて配置することにより，特定の情報が与えられることを特徴とするものである。
【００２５】
また，同文献に開示された透かし情報検出装置は，
画像と複数種類のドットパターンが埋め込まれた透かし画像とが重ね合わされて作成された透かし入り画像から，透かし画像を検出する透かし検出部を備え，透かし検出部は，ドットパターンと同じ方向と間隔を持つ，ドットパターンと同数の二次元ウェーブレットフィルタを備え，透かし入り画像に対し，マッチングを行うことにより，透かし画像を検出するものである。
【００２６】
（２）集計ルールについて（以下，先行発明２という。）
電子透かし技術を利用して，帳票に回答集計ルールを埋め込む技術については，例えば，本件出願人により出願された特願２００３−７２１９３の技術がある。ここに記載された記入用文書作成装置は，（ａ）所定の記入箇所を有する文書の文書画像データを作成する文書画像作成部と，(ｂ)文書上の記入箇所と記入内容とを示すフォーマット情報と，記入箇所に記入があったか否かを検出するための記入箇所検出情報とを文書画像データへの埋め込み情報として作成する埋め込み情報作成部と，（ｃ）文書画像データと埋め込み情報とを合成して，文書データを作成する文書データ作成部と，を備えたことを特徴とするものである。
【００２７】
かかる記入用文書作成装置によれば，文書中の記入箇所の位置とその記入内容を判定するためのフォーマット情報と，記入箇所に記入があったか否かを検出するための記入箇所検出情報とを一体に有する記入用文書を作成し，これらフォーマット情報と記入箇所検出情報とを用いて，記入文書の記入内容を自動で抽出することが可能である。これにより，記入内容を抽出するための人員削減や，マークシート用紙等の特殊な用紙の準備が不要になるといった効果がある。
【００２８】
以下の実施形態の説明において，上記（先行発明１），（先行発明２）を適宜引用するものとする。ただし，本発明は上記２つの技術を必須の要件とするものではなく，他の技術で代替可能であることは言うまでもない。
【００２９】
（第１の実施形態）
図１は，第１の実施形態にかかる調査票の一例を示す説明図である。調査票１０は調査実施者が調査対象者に送付する用紙である。
【００３０】
図１（ａ）において，調査票１０の上部の点線で囲まれた領域は，調査対象者の氏名や住所などの属性（個人情報）がテキストで記載されている属性領域１１である。また調査票１０の下部の点線で囲まれた領域は，調査事項が記載されており，調査対象者が回答を書き込む回答領域１２である。
【００３１】
回答領域１２には，属性領域１１に記載された調査対象者の属性情報，および記入を自動的に検出して集計するための集計ルール情報が，機械により読み取り可能な形式に変換されて記録されている。本実施形態では，例えば，（先行発明１）に開示された電子透かし技術を採用した透かし情報として記録されている。なお，透かし情報は，属性情報の保護や集計ルール情報の不正な解析防止のため，暗号化することが可能である。
【００３２】
属性領域１１と回答領域１２の間には，切り取り線１３が記載されている。調査対象者は回答記入後，図１（ｂ）に示したように，切り取り線１３に沿って用紙を切り取り，廃棄用ヘッダ２１（属性領域１１に相当）と返送用回答票２２（回答領域１２に相当）とに分離する。そして，返送用回答票２２（回答領域１２）のみを調査実施者に返送する。廃棄用ヘッダ２１（属性領域１１）は調査対象者本人が保管するか廃棄する。なお，切り取り線１３の代わりにミシン目でもよく，また，切り取り線がなくてもよい。
【００３３】
以上，本実施形態にかかる調査票について説明した。次いで，上記調査票の生成装置（本発明の帳票生成装置の一実施形態）について説明する。
【００３４】
（調査票生成装置１００）
図２は，本実施形態にかかる調査票生成装置の構成図である。
調査票生成装置１００は，図２に示したように，３つのデータベース（調査票原本データベース１０１，調査対象者データベース１０２，集計ルールデータベース１０３）と，調査票原稿生成部１０４と，透かし情報生成部１０５と，調査票画像生成部１０６と，印刷部１０７を備えて構成されている。
【００３５】
調査票原本データベース１０１には，調査票原本が記録されている。調査票原本は，例えば健康調査であれば，自覚症状の有無などの調査項目が記載されている（図４（ａ）の調査票原本３０参照）。調査票原本３０には，調査対象者の氏名や住所などの属性情報を記録する属性領域が存在するが空欄となっている。
【００３６】
調査対象者データベース１０２には，調査対象者ごとの氏名，年齢，性別，住所などの属性情報が記録されている。
【００３７】
集計ルールデータベース１０３には，集計ルールが記録されている。集計ルールは，調査の回答が返却され，自動集計が行われたときに，どの項目がどのような意味を持っていて，どのように集計するのかなどを定義したルールである。集計ルールは，上述の（先行発明２）に記載の技術を採用することができる。
【００３８】
図３は返送用回答票２２の例であり，記入欄がチェックボックスにより構成されている。図中のＣＢ１〜ＣＢ９はチェックボックスが一意に特定できるように割り振られた番号である。図３に示した一例では，集計ルールは各設問に対して，次のような情報が含まれる。
（１）設問に属しているチェックボックス番号および座標
（２）回答ルール（例えばＣＢ１にチェックがされていると判定した場合には「減った」が選択され，ＣＢ２にチェックが検出された場合には「変わらない」が選択され，ＣＢ３にチェックが検出された場合には「増えた」が選択されたと判断する）
【００３９】
調査票原稿生成部１０４は，調査票原本データベース１０１に記録された調査票原本および調査対象者データベース１０２に記録された調査対象者の属性情報から調査票原稿画像を作成する。図４（ａ）に示した調査票原本３０には，切り取り線１３の上部に，調査対象者の氏名や住所などの属性情報を記録する属性領域が存在するが空欄となっている。図４（ｂ）は，調査票原稿生成部１０４により生成された調査票原稿画像の例を示している。調査票原稿画像４０の切り取り線１３の上部には，調査内容と調査対象者の氏名や住所などが記載されている。
【００４０】
透かし情報生成部１０５は，調査対象者データベース１０２に記録された調査対象者の属性情報と集計ルールデータベース１０３に記録された集計ルールを結合することによって，調査票１０に透かしとして記録する透かし情報を生成する。ただし，透かし情報の調査対象者と調査票原稿画像に記載されている調査対象者は一致しているが，記録する項目がすべて一致している必要はない。透かし情報生成部１０５には，上述の（先行発明１）に記載の技術を採用することができる。
【００４１】
調査票画像生成部１０６は，透かし情報生成部１０５で生成した透かし情報を元に，調査票原稿生成部１０４が生成した調査票原稿画像３０に透かしを挿入し，調査票画像を生成する。
【００４２】
印刷部１０７は，調査票画像生成部１０６が生成した調査票画像を紙面に印刷することにより，調査票１０（図１）を作成する。
【００４３】
次いで，調査票生成装置１００により生成された調査票の記入内容を集計する調査票集計装置について説明する。
【００４４】
（調査票集計装置１１０）
図５は調査票の調査対象者から返送された返送用回答票２２（図１（ｂ））の集計装置の構成図である。調査票集計装置１１０は，図５に示したように，スキャナ１１１と，透かし情報復元部１１２と，入力集計部１１３と，集計結果データベース１１４を備えて構成されている。
【００４５】
返送用回答票２２（図１（ｂ））はスキャナ１１１により画像データとして調査票集計装置１１０に入力される。
【００４６】
透かし情報復元部１１２は，（先行発明１）に記載の方法などにより，透かし情報を読み取り，調査対象者（回答記入者）の属性と集計ルールを復元する。
【００４７】
入力集計部１１３は（先行発明２）に記載の方法などにより，回答の認識を行い，これを透かし情報から復元した集計ルールに従って集計を行い，集計結果を集計結果データベース１１４に記録する。集計結果データベース１１４には，回答の集計とともに調査対象者の属性情報が記録される。
【００４８】
以上，調査票生成装置１００および調査票集計装置１１０について説明した。かかる調査票生成装置１００または調査票集計装置１１０は，コンピュータに上記機能を実現するためのコンピュータプログラムを組み込むことで，コンピュータを調査票生成装置１００または調査票集計装置１１０として機能させることが可能である。かかるコンピュータプログラムは，所定の記録媒体（例えば，ＣＤ−ＲＯＭ）に記録された形で，あるいは，電子ネットワークを介したダウンロードの形で市場を流通させることが可能である。
【００４９】
（第１の実施形態の動作）
次いで，本実施形態の動作について説明する。
【００５０】
（調査票生成）
図６は第１の実施形態における調査票生成フローである。
調査票原本データベース１０１に含まれる調査票原本画像１２１に対し，調査対象者データベース１０２に含まれる調査対象者属性１２２を参照して氏名，住所などの空欄を埋めることにより，調査票原稿画像を作成する（ステップＳ１２４）。ここで，調査票原本画像１２１は文書データのまま保持し，調査対象者属性１２２をテキストで追加した後，完成した文書データを画像化することによって調査票原稿画像を作成してもよい。
【００５１】
次に，調査票対象者属性１２２と，集計ルールデータベース１０３に含まれる集計ルール１２３とを結合して透かし情報を生成し，（先行発明２）等の方法により調査票原稿画像に埋め込む（ステップＳ１２５）。埋め込まれる情報の中には，チェックボックス番号および座標，回答ルール，調査対象者氏名，住所などが含まれる。透かし情報は，図１に示したように，回答領域１２の部分にだけ埋め込んでもよいし，属性領域１１を含む調査票原稿画像１０の全体に埋め込んでもよい。調査票原稿画像１０の全体に埋め込む場合は，属性領域１１が消失した場合でも正しく情報が読み取れるよう，情報読み取り耐性を強化する。透かし情報のすべて，または透かし情報中の調査対象者属性情報は暗号化されていてもよい。この場合は，より強固に個人情報を保護することができる。
【００５２】
ステップＳ１２５で作成した透かし入り調査票画像は印刷部１０７により紙面に印刷される（ステップＳ１２６）。調査票の作成（ステップＳ１２４〜Ｓ１２６）は，調査対象者の数だけ繰り返される。
【００５３】
（調査票集計）
図７は第１の実施形態における調査票集計フローである。
入力画像１３１は，回収された記入済みの返送用回答票をスキャナ１１１により画像化したものである。
【００５４】
入力画像１３１から（先行発明１）または（先行発明２）の方法により透かし情報を復元する（ステップＳ１３２）。
【００５５】
次に，透かし情報を集計ルールと調査対象者属性情報１３４に分離し，集計ルールを用いて回答の記入判定を行い，回答を集計する（ステップＳ１３３）。記入の判定および集計の方法は，例えば上記（先行発明２）の技術を採用することができる。
【００５６】
集計結果データベース１１４（図５）には，調査票送付者の属性情報１３４と，その回答集計結果を結び付けて記録する。
【００５７】
（第１の実施形態の効果）
以上説明したように，本実施形態によれば，健康状態などの個人的な情報を収集する場合に，調査票発行者および記入者本人は確実に誰宛の調査票であるかを識別することが可能で，かつ第三者には誰が記入した調査票であるかを識別不能にすることができる。
【００５８】
また，回答記入者の属性情報が紙面に記録されているため，回答の集計時に，調査票送付者リストを参照する必要がないため，調査票の発行と集計を異なる機関で行うことができる。これにより，例えば調査票の作成をオープンな外部機関に委託し，集計のみを個人情報の保護ができる安全な機関で行うなど，業務を効率的に分離することができる。
【００５９】
（第２の実施形態）
本発明の第２の実施形態として，上記第１の実施形態にかかる調査票を利用した調査票冊子（本発明の帳票冊子の一実施形態）について説明する。
【００６０】
図８は本実施形態にかかる調査票冊子を構成する調査票の例を示している。図８（ａ）に示した調査票５０は，図１の調査票１０と同じ形態である。図８（ｂ）に示した回答票６０は，調査票５０の廃棄用ヘッダ（調査票１０の属性領域１１）がないものである。
【００６１】
これらは，図９（ａ）に示したように，調査票５０を表紙としてその下に複数の回答票６０を重ね，図９（ｂ）に示したように，メモ帳のような形態の調査票冊子７０を構成する。
【００６２】
この調査票冊子７０を使用する場合は，図１０に示したように，表紙の属性領域７１（調査対象者属性がテキストで表示されている部分）のみを残し，回答領域７２（チェック済みの回答部分）のみを切り取る。回答領域７２は，図８（ｂ）に示した回答票６０の切り取り線１３より下方の部分と実質的に同じものとなる。
【００６３】
図１１は回答票生成フローを示している。
第１の実施形態の調査票生成フロー（図６）との相違点は，回答票原本画像１２１に調査対象者属性１２２をテキスト形式で挿入することなく，透かし入り回答票画像を生成することである（ステップＳ１２４’）。透かし入り回答票画像には，調査票１０の回答領域１２と同様に，調査対象者の属性と集計ルールが結合された情報が記録されている。
【００６４】
透かし入り回答票画像は，記録冊子７０を構成するページ数分だけ繰り返し印刷される（ステップＳ１２６）。
【００６５】
図１２は記録冊子７０の利用形態の例を示している。
例えば病院などで看護士が患者の日々の病状を記録する場合に，患者ごとに調査票冊子７０を作成し，調査票冊子７０の各ページに検診時の病状記録や日付を記入する（ステップＳ１４１）。日付の記録は例えば，回答票中に，図１３に示したような日付記録欄（月・日・時間帯など）を挿入することにより容易に記録することができる。
【００６６】
次に，記録した回答票（調査票冊子７０の１ページまたは複数ページ）を切り取って集計ボックスに投入する（ステップＳ１４２）。集計ボックスには，１または複数の患者の，１または複数のページの回答票が投入されている。
【００６７】
次に，集計ボックス中の複数の回答票を，図７の集計処理フローにしたがって一括集計処理を行う（ステップＳ１４３）。
【００６８】
最後に，集計結果を個人ごと，日付ごとに自動的に分類して集計結果データベース１１４に記録する（ステップＳ１４４）。
【００６９】
（第２の実施形態の効果）
以上説明したように，本実施形態によれば，病院などの大きな施設で，複数の人間の日々の健康状態等を記録する場合に，記録する人（看護士など）は誰の記録であるかを確認しながら記録することができ，かつ集計時は誰の記録であるかを秘匿しているため，集計業務を第三者に委託することができ，業務の効率化を図ることができる。
【００７０】
（第３の実施形態）
図１４は第３の実施形態の調査票である。第１の実施形態との相違点は，調査票２１０の回答領域２１２（返送用回答票）には，個人属性情報のみが記録され，集計ルールが記録されていない点である。
【００７１】
図１４（ａ）に示したように，回答領域２１２には，属性情報２１３が表示されている。属性情報２１３は暗号化され，属性コード２１４として調査票２１０の領域２１２に記録される。ここでは，属性コード２１４を２次元バーコードのような形式で表現しているが，（先行発明１）のような電子透かしによる方法を用いてもよい。本実施形態では，回答領域２１２に集計ルールを記録せず，回答集計をキーパンチャーによる人手による入力作業を行う場合について説明する。
【００７２】
図１４（ｂ）は属性情報２１３の部分拡大図である。属性コード２１４の周囲（図１４（ｂ）では下部）にはランダムＩＤ２１５がテキストとして記録されている。ランダムＩＤ２１５は，調査票２１０を印刷するごとにランダムに生成される記号であり，これは属性コード２１４の中にも記録されている。属性コード２１４は暗号化されていてもよい。
【００７３】
その他の属性領域２１１および切り取り線２１３は，第１の実施形態にかかる属性領域１１および切り取り線１３（図１）と実質的に同様である。
【００７４】
（調査票生成装置１１００）
図１５は第３の実施形態の調査票生成装置の構成図である。
調査票生成装置１１００は，図１５に示したように，２つのデータベース（調査票原本データベース１１０１，調査対象者データベース１１０２）と，ランダムＩＤ生成部１１０３と，調査票原稿生成部１１０４と，属性データ生成部１１０５と，調査票画像生成部１１０６と，印刷部１１０７を備えて構成されている。
【００７５】
第１の実施形態にかかる調査票生成装置１００（図２）との相違点は，集計ルールを参照するための集計ルールデータベースが存在しないことと，ランダムＩＤ生成部１１０３が追加されたことである。また，属性データ生成部１１０５は，調査対象者データベース１１０２とランダムＩＤ生成部１１０３の出力値を元に，属性情報２１３のもととなる属性データを生成する。
【００７６】
（調査票集計装置１１１０）
図１６は，第３の実施形態の集計処理装置の構成図である。
調査票集計装置１１１０は，図１６に示したように，スキャナ１１１１と，属性データ復元部１１１２と，復元結果データベース１１１３を備えて構成されている。
【００７７】
集計処理装置１１１０では，属性データ復元部１１１２で属性データを復元し，ランダムＩＤとともに復元結果データベース１１１３に記録する。また，キーパンチャーは回答票を参照し，復元結果データベース１１１３の対応する項目に回答を入力する。
【００７８】
（第３の実施形態の動作）
次いで，本実施形態の動作について説明する。
【００７９】
（調査票生成）
図１７は第３の実施形態の調査票生成フローである。
調査票原本画像１１２１に対し，調査対象者属性１１２２を参照して氏名，住所などの空欄を埋めることにより，調査票原稿画像を作成する（ステップＳ１１２３）。ここで，調査票原本画像は文書データのまま保持し，調査対象者属性をテキストで追加した後，完成した文書データを画像化することによって調査票原稿画像を作成してもよい。
【００８０】
次に，ランダムＩＤを発生させる（ステップＳ１１２４）。ランダムＩＤは調査票を印刷するたびに異なっており，ランダムＩＤからは調査対象者を特定することはできない。
【００８１】
次に調査票対象者属性１１２２とランダムＩＤを結合して属性データを生成し，（先行発明１）または２次元バーコード等の方法により調査票原稿画像に記録する（ステップＳ１１２６）。Ｓ１１２６で作成した調査票画像は印刷部１１０７により紙面に印刷される（ステップＳ１１２７）。調査票の作成（ステップＳ１１２３〜Ｓ１１２７）は，調査対象者の数だけ繰り返される。
【００８２】
（調査票集計）
図１８は第３の実施形態の集計処理フローである。
入力画像１１３１は，回収された記入済みの返送用回答票をスキャナ１１１１により画像化したものである。
【００８３】
入力画像１１３１に対して属性情報を復元する（ステップＳ１１３２）。復元結果データベース１１１３には調査票送付者の属性情報と，ランダムＩＤを記録する。キーパンチャーは復元結果データベース１１１３に記録されたランダムＩＤと，回答票に記載されているランダムＩＤを比較し，同一のランダムＩＤの項目に回答票の回答を入力する。
【００８４】
図１９は，キーパンチャーが回答票の回答を入力するための入力画面の例である。キーパンチャーにはランダムＩＤと回答欄のみが表示され，対象者の氏名，住所などの属性情報を見ることはできない。
【００８５】
なお，ランダムＩＤを利用したキーパンチャー入力は，上記第１の実施形態で説明した集計ルール情報を記録した回答票の集計の際にも行ってもよい。これにより，いったん自動集計した結果が誤っている場合の修正や，自由記載欄が存在する場合の手入力を補助することができる。
【００８６】
（第３の実施形態の効果）
以上説明したように，本実施形態によれば，ランダムＩＤを利用することにより，回答の集計にキーパンチャーなどが介在しても，第１の実施形態と同じ効果が得られる。
【００８７】
また，第３の実施形態にかかる調査票についても，第２の実施形態にかかる調査票冊子と同様の利用形態が可能である。
【００８８】
以上，添付図面を参照しながら本発明にかかる帳票，帳票冊子，および帳票生成装置の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【００８９】
本発明は帳票，帳票冊子，および帳票生成装置に利用可能であり，特に，印刷された帳票への入力を自動的に検出し，入力に応じてあらかじめ指示された処理を自動的に行うシステムにおいて，健康状態などの個人的な情報を収集する場合に，帳票発行者および記入者本人は確実に誰宛の帳票であるかを識別することが可能で，かつ第三者には誰が記入したものであるかを識別不能にすることの可能な帳票，帳票冊子，および帳票生成装置に利用可能である。
【図面の簡単な説明】
【００９０】
【図１】第１の実施形態にかかる調査票の一例を示す説明図である。
【図２】第１の実施形態にかかる調査票生成装置の構成を示す説明図である。
【図３】返送回答票の一例を示す説明図である。
【図４】調査票原本と調査票原稿の一例を示す説明図である。
【図５】第１の実施形態にかかる調査票集計装置の構成を示す説明図である。
【図６】第１の実施形態にかかる調査票生成フローを示す説明図である。
【図７】第１の実施形態にかかる集計処理フローを示す説明図である。
【図８】第２の実施形態にかかる調査票を示す説明図である。
【図９】第２の実施形態にかかる調査票冊子を示す説明図である。
【図１０】調査票冊子から切り取った回答票の一例を示す説明図である。
【図１１】回答票の生成フローを示す説明図である。
【図１２】第２の実施形態にかかる記録冊子の利用形態の例を示す説明図である。
【図１３】調査票冊子の日付欄の一例を示す説明図である。
【図１４】第３の実施形態にかかる調査票を示す説明図である。
【図１５】第３の実施形態にかかる調査票生成装置の構成を示す説明図である。
【図１６】第３の実施形態にかかる調査票集計装置の構成を示す説明図である。
【図１７】第３の実施形態にかかる調査票生成フローを示す説明図である。
【図１８】第３の実施形態にかかる集計処理フローを示す説明図である。
【図１９】回答票の回答を入力するための入力画面の一例を示す説明図である。
【符号の説明】
【００９１】
１０  調査票
１１  属性領域
１２  回答領域
１３  切り取り線
２０  返送用回答票
２１  廃棄用ヘッダ
２２  返送用回答票
１００  調査票生成装置
１０１  調査票原本データベース
１０２  調査対象者データベース
１０３  集計ルールデータベース
１０４  調査票原稿生成部
１０５  透かし情報生成部
１０６  調査票画像生成部
１０７  印刷部
１１１  スキャナ
１１２  透かし情報復元部
１１３  入力集計部
１１４  集計結果データベース
１１００  調査票生成装置
１１０３  ランダムＩＤ生成部
１１０５  属性データ生成部
１１１０  調査票集計装置
１１１２  属性データ復元部
１１１３  復元結果データベース
【図１】
2006338085.tif 000003
【図２】
2006338085.tif 000004
【図３】
2006338085.tif 000005
【図４】
2006338085.tif 000006
【図５】
2006338085.tif 000007
【図６】
2006338085.tif 000008
【図７】
2006338085.tif 000009
【図８】
2006338085.tif 000010
【図９】
2006338085.tif 000011
【図１０】
2006338085.tif 000012
【図１１】
2006338085.tif 000013
【図１２】
2006338085.tif 000014
【図１３】
2006338085.tif 000015
【図１４】
2006338085.tif 000016
【図１５】
2006338085.tif 000017
【図１６】
2006338085.tif 000018
【図１７】
2006338085.tif 000019
【図１８】
2006338085.tif 000020
【図１９】
2006338085.tif 000021